(57)【要約】【課題】携帯電話機に接続するイヤホンマイクにおいて、機能向上とユーザの利便性向上を図る。【解決手段】イヤホンマイク本体１に、音楽再生用のプレーヤ部４を設け、このプレーヤ部４の再生音と携帯電話接続用ケーブル３より入力される携帯電話機からの受話音とを混合してイヤホン１９に出力するとともに、フックボタン１７のオフフックを検出した場合にはプレーヤ部４の再生動作を停止させる。これにより、携帯電話機の待ち受け中であってもプレーヤ部４の再生音をイヤホン１９で聴取することができる。また、バッファアンプ１５の入出力端間を短絡する短絡スイッチ１４を設けて、電源オフ時やバッテリ消耗時でも携帯電話機からの着信音信号及び受話音信号をイヤホン１９へ出力する。【選択図】　図１
2004072498.tif 000002
【特許請求の範囲】
【請求項１】
イヤホン及びマイクを一体的にまたは別体で着脱可能に備え、携帯電話機に接続して通話を行うイヤホンマイクであって、
音楽データを含む音声データを再生する音楽再生手段と、
前記携帯電話機からの着信音信号または受話音信号と前記音楽再生手段からの再生音信号とを混合して前記イヤホンへ出力する音声信号混合手段と、
を備えたことを特徴とするイヤホンマイク。
【請求項２】
イヤホン及びマイクを一体的にまたは別体で着脱可能に備え、携帯電話機に接続して通話を行うイヤホンマイクであって、
音楽データを含む音声データを再生する音楽再生手段と、
前記携帯電話機からの着信音信号または受話音信号と前記音楽再生手段からの再生音信号とのいずれかを前記イヤホンへ出力するイヤホン出力切り替え手段と、
前記携帯電話機の状態に応じて、前記携帯電話機の通話時及びキー操作時には前記携帯電話機からの着信音信号または受話音信号を選択し、前記音楽再生手段の音楽再生時には前記音楽再生手段からの再生音信号を選択するように前記イヤホン出力切り替え手段を制御するイヤホン出力制御手段と、
を備えたことを特徴とするイヤホンマイク。
【請求項３】
前記携帯電話機のフッキング動作を行うフックボタンと、
前記フックボタンの出力信号を検出し、フッキング動作がなされた場合に前記音楽再生手段の動作を停止させる音楽再生停止手段と、
を備えたことを特徴とする請求項１または２に記載のイヤホンマイク。
【請求項４】
前記音楽再生手段の電源をオンまたはオフする電源スイッチ手段と、
前記音声信号混合手段の入出力端間に設けられ、前記電源スイッチ手段のオフ時にはオンして前記入出力端間を短絡する短絡スイッチ手段と、
を備えたことを特徴とする請求項１に記載のイヤホンマイク。
【請求項５】
前記イヤホン出力切り替え手段の出力端と携帯電話機側入力端との間に設けられ、使用者の操作に応じて前記携帯電話機からの着信音信号または受話音信号を直接前記イヤホンへ出力する手動短絡スイッチ手段を備えたことを特徴とする請求項２に記載のイヤホンマイク。
【請求項６】
前記携帯電話機からの制御信号を受け取り、前記制御信号に従って前記音楽再生手段の動作に関わる制御を行う音楽再生制御手段を備えたことを特徴とする請求項１〜５のいずれかに記載のイヤホンマイク。
【請求項７】
自装置を動作させるための電源を供給するバッテリを備えたことを特徴とする請求項１〜６のいずれかに記載のイヤホンマイク。
【請求項８】
前記携帯電話機と接続する接続ケーブルを利用して前記携帯電話機より自装置を動作させる電源を得ることを特徴とする請求項１〜６のいずれかに記載のイヤホンマイク。
【請求項９】
前記接続ケーブルを自装置本体に着脱自在に接続する接続手段を備えたことを特徴とする請求項８に記載のイヤホンマイク。
【請求項１０】
前記音楽データを含む音声データを記録する自装置本体に着脱自在な記録媒体を備え、前記音楽再生手段は前記記録媒体より音声データを読み出して再生を行うことを特徴とする請求項１〜９のいずれかに記載のイヤホンマイク。
【発明の詳細な説明】
【０００１】
【発明の属する技術分野】
本発明は、携帯電話機に用いて好適なイヤホンマイクに関する。
【０００２】
【従来の技術】
従来、携帯電話機のオプション機器として、ハンズフリー通話を行うためのイヤホンマイクがある。これは、通話機能と発呼／着呼を制御するフック機能とを実現したもので、例えば図６に示すような構成となっている。イヤホンマイクは、マイク６１、フックボタン６２及びイヤホン接続用ジャック６３を内蔵するとともに携帯電話接続用ケーブ６４を備えたイヤホンマイク本体６０と、イヤホンマイク本体６０に接続して使用するイヤホン６５とを備えて構成されている。また、イヤホン６５とイヤホンマイク本体６０との間の長さは、使用者がイヤホン６５を耳に装着したときにイヤホンマイク本体６０がちょうど胸元に位置するような長さになっている。なお、図７は図６のイヤホンマイクを携帯電話機７０に接続した状態を示す図である。
【０００３】
また、図８はシリアル通信ポートを備えた従来のイヤホンマイクの構成を示すブロック図である。この図において、イヤホンマイク本体７０には、マイク７１、フックボタン７２、制御回路７３、液晶駆動回路７４、液晶パネル７５、イヤホン接続用ジャック７６及び携帯電話接続用プラグ７７を備えている。制御回路７３及び液晶駆動回路７４を駆動する電源ＶＤＤは、携帯電話機側より供給される。
【０００４】
【発明が解決しようとする課題】
しかしながら、従来のイヤホンマイクにおいては、通話以外の用途は無く、待ち受け中に他の用途で利用することができなかった。また、イヤホンマイク単体での利用用途も無く、オーディオ機器など他の機器と接続して使用することは不可能であり、通話以外に用いることができなかった。
【０００５】
本発明は、上記事情に鑑みてなされたもので、その目的は、通話以外の用途で使用可能とし、機能向上とユーザ利便性の向上を図ることができるイヤホンマイクを提供することにある。
【０００６】
【課題を解決するための手段】
本発明に係るイヤホンマイクは、イヤホン及びマイクを一体的にまたは別体で着脱可能に備え、携帯電話機に接続して通話を行うイヤホンマイクであって、音楽データを含む音声データを再生する音楽再生手段と、前記携帯電話機からの着信音信号または受話音信号と前記音楽再生手段からの再生音信号とを混合して前記イヤホンへ出力する音声信号混合手段と、を備えたことを特徴とする。
【０００７】
上記構成によれば、携帯電話機からの着信音または受話音と音楽再生手段からの再生音とをイヤホンで聴取することが可能となり、イヤホンの機能向上とユーザの利便性向上が図れる。
【０００８】
本発明に係るイヤホンマイクは、イヤホン及びマイクを一体的にまたは別体で着脱可能に備え、携帯電話機に接続して通話を行うイヤホンマイクであって、音楽データを含む音声データを再生する音楽再生手段と、前記携帯電話機からの着信音信号または受話音信号と前記音楽再生手段からの再生音信号とのいずれかを前記イヤホンへ出力するイヤホン出力切り替え手段と、前記携帯電話機の状態に応じて、前記携帯電話機の通話時及びキー操作時には前記携帯電話機からの着信音信号または受話音信号を選択し、前記音楽再生手段の音楽再生時には前記音楽再生手段からの再生音信号を選択するように前記イヤホン出力切り替え手段を制御するイヤホン出力制御手段と、を備えたことを特徴とする。
【０００９】
上記構成によれば、音楽再生手段による音楽再生中に携帯電話機に着信があったときに、イヤホン出力制御手段及びイヤホン出力切り替え手段によりイヤホンへの出力が自動的に携帯電話機側に切り替えるので、ユーザの手動による音楽再生の停止、再生操作が不要となる。
【００１０】
また、前記携帯電話機のフッキング動作を行うフックボタンと、前記フックボタンの出力信号を検出し、フッキング動作がなされた場合に前記音楽再生手段の動作を停止させる音楽再生停止手段と、を備えたことを特徴とする。
【００１１】
上記構成によれば、音楽再生手段による音楽再生中にユーザのフックボタンの操作によりオフフックがなされると、音楽再生が停止する。このように、フッキング動作に応じて音楽再生を停止できる。また、フックボタンを音楽再生を停止させるための停止ボタンと兼用でき、停止ボタンを省くことが可能となり、その分、構成を簡略化してコストダウンを図れる。
【００１２】
また、前記音楽再生手段の電源をオンまたはオフする電源スイッチ手段と、前記音声信号混合手段の入出力端間に設けられ、前記電源スイッチ手段のオフ時にはオンして前記入出力端間を短絡する短絡スイッチ手段と、を備えたことを特徴とする。
【００１３】
上記構成によれば、電源スイッチ手段がオフの時には音声信号混合手段の入出力端間が短絡状態となり、携帯電話機からの着信音信号または受話音信号が直接イヤホンへ出力されるので、イヤホンマイク本体の電源オフ時やイヤホンマイクのバッテリの消耗時にも、イヤホンマイクの通話機能とフッキング制御機能を従来のイヤホンマイク同様に機能させることが可能となる。
【００１４】
また、前記イヤホン出力切り替え手段の出力端と携帯電話機側入力端との間に設けられ、使用者の操作に応じて前記携帯電話機からの着信音信号または受話音信号を直接前記イヤホンへ出力する手動短絡スイッチ手段を備えたことを特徴とする。
【００１５】
上記構成によれば、イヤホン出力切り替え手段の出力端と携帯電話機側入力端との間をユーザが手動で短絡できるので、電源スイッチ手段をオフにした場合やバッテリ切れの場合にも携帯電話機を用いた通話が可能となる。
【００１６】
また、前記携帯電話機からの制御信号を受け取り、前記制御信号に従って前記音楽再生手段の動作に関わる制御を行う音楽再生制御手段を備えたことを特徴とする。
【００１７】
上記構成によれば、携帯電話機側から音楽再生手段の動作に関わる制御（再生、停止等）を行うことができるので、イヤホンマイク本体には音楽再生手段の動作を制御する制御ボタンを省くことが可能となり、イヤホンマイク本体の小型化及び低コスト化が図れる。
【００１８】
また、自装置を動作させるための電源を供給するバッテリを備えたことを特徴とする。
【００１９】
上記構成によれば、バッテリによる動作を可能とすることで、携帯電話機と接続しない場合でも、イヤホンマイク単体で音楽再生プレーヤとして動作させることが可能となる。
【００２０】
また、前記携帯電話機と接続する接続ケーブルを利用して前記携帯電話機より自装置を動作させる電源を得ることを特徴とする。
【００２１】
上記構成によれば、携帯電話機と接続する接続ケーブルを利用して携帯電話機より電源を得るので、イヤホンマイク本体からバッテリを省くことができ、イヤホンマイク本体の小型化及び軽量化が可能となる。
【００２２】
また、前記接続ケーブルを自装置本体に着脱自在に接続する接続手段を備えたことを特徴とする。
【００２３】
上記構成によれば、イヤホンマイクを音楽再生プレーヤとして単体で使用する場合に不要である携帯電話接続用のケーブルを取り外すことかできるので、ユーザの利便性向上が図れる。
【００２４】
また、前記音楽データを含む音声データを記録する自装置本体に着脱自在な記録媒体を備え、前記音楽再生手段は前記記録媒体より音声データを読み出して再生を行うことを特徴とする。
【００２５】
上記構成によれば、音声データを記録した記録媒体をイヤホンマイク本体に着脱自在に装着することで、容易に音声データを入れ替えることができ、ユーザの利便性向上が図れる。
【００２６】
【発明の実施の形態】
以下、図面を参照して本発明の実施形態を説明する。
（第１実施形態）
図１は、本発明の第１実施形態に係るイヤホンマイクの構成を示すブロック図である。本実施形態のイヤホンマイクは、音声データ記録用のメモリカード９から音楽データを含む音声データを読み込んで再生する音楽再生機能を有するものであり、携帯電話接続用ケーブル３、携帯電話接続用プラグ３Ａ、プレーヤ部４、短絡スイッチ１４、バッファアンプ１５、マイク１６、フックボタン１７、イヤホン接続用ジャック１８、イヤホン１９を備えている。
【００２７】
携帯電話接続用ケーブル３の信号ラインは、マイク１６及びフックボタン１７が接続されるとともに、短絡スイッチ１４またはバッファアンプ１５を介してイヤホン接続用ジャック１８が接続されている。イヤホン接続用ジャック１８には、イヤホン１９が着脱自在に接続される。右（Ｒ）及び左（Ｌ）の音声信号用の２系統のバッファアンプ１５の入力端には、前記携帯電話接続用ケーブル３の信号ラインとプレーヤ部４の出力端とが接続されている。
【００２８】
プレーヤ部４は、制御ボタン５、制御回路６、電源オン／オフスイッチ７、バッテリ８、メモリカード９、音楽再生回路１０、液晶駆動回路１１、液晶パネル１２及びイヤホンアンプ１３を備えている。制御回路６は、制御ボタン５または携帯電話接続用ケーブル３からの制御入力信号に基づき、音楽再生回路１０及び液晶駆動回路１１の動作制御を行うようになっている。音楽再生回路１０は、メモリカード９に記憶された音楽等の音声データを読み出してアナログのオーディオ信号である再生音信号として出力するようになっている。メモリカード９は、例えばＳＤカード、メモリースティック、コンパクトフラッシュ（登録商標）カード、マルチメディアカード、ＣＤ（Ｃｏｍｐａｃｔ　Ｄｉｓｋ）、ＤＶＤ（Ｄｉｇｉｔａｌ　Ｖｅｒｓａｔｉｌｅ
Ｄｉｓｋ）等のストレージメモリである。
【００２９】
図２は図１のイヤホンマイク１を携帯電話機７０に接続した使用状態を示す説明図である。イヤホンマイク１は、携帯電話接続用ケーブル３を介して携帯電話機７０と接続される。メモリカード９はイヤホンマイク本体１に対して脱着自在に装着されるようになっている。
【００３０】
次に、上記のように構成された本実施形態のイヤホンマイクの動作を説明する。メモリカード９に記録された音声データは音楽再生回路１０で読み取られて再生され、そのときの再生音信号がイヤホンアンプ１３で増幅された後、バッファアンプ１５に入力される。バッファアンプ１５には携帯電話機７０から着信音信号又は受話音信号も入力され、この着信音信号又は受話音信号と再生音信号とがバッファアンプ１５で混合されてイヤホン接続用ジャック１８を介してイヤホン１９へ出力される。
【００３１】
携帯電話機７０からの着信音信号又は受話音信号とプレーヤ部４の再生音信号とを混合することにより、プレーヤ部４で音楽を再生している最中に携帯電話機７０に着信があっても、イヤホン１９よりその着信音を聞くことができる。またその後の受話音を聞くことができる。そして、プレーヤ部４の制御ボタン５の「ＳＴＯＰ」ボタンを操作して再生を停止すれば、受話音のみをイヤホン１９で聞くことができる。
【００３２】
フックボタン１７の出力信号は、フッキング動作の制御信号として携帯電話機７０へ出力されるとともに、制御回路６へも出力される。制御回路６はフックボタン１７からの出力信号によりフッキング動作がなされたことを検出すると、音楽再生回路１０の再生動作を停止させて、イヤホン１９への音声出力を再生音から受話音に変更する。この場合、フックボタン１７を制御ボタン５の「ＳＴＯＰ」ボタンと兼用が可能であるので、プレーヤ部４の制御ボタン５から「ＳＴＯＰ」ボタンを省くこともできる。「ＳＴＯＰ」ボタンを省くことでコストダウンが可能となる。
【００３３】
短絡スイッチ１４は、バッファアンプ１５の入出力端間を短絡させるものであり、電源オン／オフスイッチ７と連動して動作する。すなわち、電源オン／オフスイッチ７がオン時にはオフ、オフ時にはオンとなる。そして、短絡スイッチ１４がオンしたときにはバッファアンプ１５の入出力端間が短絡状態となる。これにより、電源オフ時やバッテリ消耗時でも着信音及び受話音をイヤホン１９で聴取することが可能となる。
【００３４】
このように、第１実施形態のイヤホンマイクは、音楽再生用のプレーヤ部４を具備し、このプレーヤ部４の再生音信号と着信音信号又は受話音信号とを混合してイヤホン１９に出力するとともに、フックボタン１７のオフフックを検出した場合にはプレーヤ部４の再生動作を停止させるようにしている。これにより、携帯電話機７０の待ち受け中であってもプレーヤ部４の再生音をイヤホン１９で聴取することができ、さらに、プレーヤ部４の再生音を聞いている際に携帯電話機７０で着信があった場合は着信音やその後の受話音をイヤホン１９で聴取することができる。また、フックボタン１７をプレーヤ部４の「ＳＴＯＰ」ボタンとして用いることもできるので、「ＳＴＯＰ」ボタンを省くことでコストダウンが可能となる。また、短絡スイッチ３４によってバッファアンプ１５の入出力端間を短絡することができるので、電源オフ時やバッテリ消耗時でも着信音及び受話音をイヤホン１９で聴取することが可能となる。
【００３５】
（第２実施形態）
図３は、本発明の第２実施形態に係るイヤホンマイクの構成を示すブロック図である。なお、図１と共通する部分には同じ符号を付して説明を省略する。
【００３６】
第２実施形態のイヤホンマイクは、シリアル通信用の送受信端子（ＴＸＤ、ＲＸＤ）が設けられた携帯電話接続用プラグ３１Ａを有する携帯電話接続用ケーブル３１を備えている。これにより、携帯電話機７０との間で通信を可能とするとともに、携帯電話機７０より電源ＶＤＤを得る構成となっている。携帯電話機７０から電源を得ることで、イヤホンマイク本体３０のプレーヤ部３２にはバッテリ８及び電源オン／オフスイッチ７が不要となる。
【００３７】
また、第２実施形態のイヤホンマイクは、イヤホン出力切り替え回路３３と、このイヤホン出力切り替え回路３３の出力端と携帯電話機側の入力端との間を短絡させる短絡スイッチ３４とを備えている。
【００３８】
イヤホン出力切り替え回路３３は、制御回路６の制御により、携帯電話機７０からの着信音又は受話音とプレーヤ部４からの再生音のイヤホン１９への出力の切り替えを行う。すなわち、制御回路６がシリアル通信用の送受信端子を利用して携帯電話機７０の状態を判別し、通話時やキー操作時にはイヤホン出力切り替え回路３３を携帯電話機７０側に切り替え、プレーヤ部４の音楽再生時には音楽再生回路１０側に切り替える。このようにすることで、プレーヤ部４による音楽聴取中に着信があると、イヤホン出力音が携帯電話機７０の出力音に切り替わるので、ユーザの手動によるプレーヤ部４の停止／再生操作が不要となる。他方、短絡スイッチ３４はユーザが手動で操作できるもので、これをオンすることでプレーヤ部４の電源オフ時でも着信音や受話音を直接イヤホン１９で聴取することが可能となる。
【００３９】
また、制御回路６は、シリアル通信用の送受信端子を介して携帯電話機７０から携帯電話機７０の状態を示す表示データを受け取り、それを液晶駆動回路１１に入力して液晶パネル１２上に携帯電話機７０の状態を表示する。
【００４０】
このように、第２実施形態のイヤホンマイクは、シリアル通信用の送受信端子を利用して携帯電話機７０より電源を得るようにしたので、バッテリを省くことができ、イヤホンマイク本体の小型及び軽量化が可能となる。また、携帯電話機７０の状態を判別してイヤホン出力切り替え回路３３の切り替え制御を行うようにしたので、ユーザの手動によるプレーヤ部４の停止／再生操作を省くことができ、操作性を向上できる。また、短絡スイッチ３４によってイヤホン出力切り替え回路３３の出力端と携帯電話機７０側の入力端との間を短絡できるようにしたので、プレーヤ部４の電源オフ時でも着信音信号や受話音信号をイヤホン１９へ出力することが可能となる。
【００４１】
（第３実施形態）
図４は、本発明の第３実施形態に係るイヤホンマイクの構成を示すブロック図である。なお、図１及び図３と共通する部分には同じ符号を付して説明を省略する。
【００４２】
第３実施形態のイヤホンマイクは、シリアル通信用の送受信端子（ＴＸＤ、ＲＸＤ）が設けられた携帯電話接続用プラグ３１Ａを有する携帯電話接続用ケーブル３１を備えるとともに、バッテリ８を内蔵したものである。バッテリ８を内蔵することで携帯電話機７０側からの電源供給が不要となるため、携帯電話機７０側のバッテリ負荷を低減することができる。
【００４３】
また、第２実施形態のイヤホンマイクは、バッテリ８の消耗を防ぐための電源オン／オフスイッチ７と、この電源オン／オフスイッチ７と連動するイヤホン出力切り替え回路３３を短絡させる短絡スイッチ４２とを備えている。電源オフ時に短絡スイッチ４２をオンすることで、プレーヤ部４１の電源オフ時やバッテリ８の消耗時にも着信音信号及び受話音信号をイヤホン１９へ出力でき、従来のイヤホンマイク同様に通話が可能となる。
【００４４】
また、制御回路６は、第２実施形態と同様にシリアル通信用の送受信端子を用いて携帯電話機７０側と通信を行い、表示データの受け渡しや現在の携帯電話機７０の状態監視あるいは携帯電話機７０から制御回路６を制御する。また、制御回路６は、携帯電話機７０が通話状態に移行した場合、イヤホン出力切り替え回路３３を制御して着信音信号及び受話音信号をイヤホン１９へ出力する。そして、通話が終了すると、イヤホン出力切り替え回路３３を制御してプレーヤ部４からの再生音信号をイヤホン１９へ出力する。
【００４５】
さらに、制御回路６は、シリアル通信用の送受信端子を用いて携帯電話機７０からの制御を可能としており、携帯電話機７０側のキー操作でプレーヤ部４１の制御を行うことができる。専ら携帯電話機７０のキー操作でプレーヤ部４１の制御を行う場合は、制御ボタン５そのものを省くことができ、イヤホンマイク本体の小型化及び回路の簡略化が図れる。
【００４６】
このように、第３実施形態のイヤホンマイクは、シリアル通信用の送受信端子を利用して携帯電話機７０と通信できるようにしたので、携帯電話機７０側のキー操作でプレーヤ部４１の制御が可能となり、専ら携帯電話機７０のキー操作でプレーヤ部４１の制御を行う場合は制御ボタン５そのものを省くことができ、イヤホンマイクの小型化及び回路の簡略化が図れる。また、電源オン／オフスイッチ７と連動するイヤホン出力切り替え回路３３を短絡させる短絡スイッチ４２を備え、電源オフ時には短絡スイッチ４２をオンして携帯電話機７０からの着信音信号及び受話音信号をそのままイヤホン１９へ出力できるようにしたので、プレーヤ部４１の電源オフ時やバッテリ８の消耗時にも従来のイヤホンマイク同様に通話が可能となる。
【００４７】
（第４実施形態）
図５は、本発明の第４実施形態に係るイヤホンマイクの使用状態を示す説明図である。
【００４８】
第４実施形態のイヤホンマイクは、携帯電話機７０と接続する携帯電話接続用ケーブル５０をイヤホンマイク本体に対して取り外しできる構成を採ったものである。携帯電話接続用ケーブル５０とイヤホンマイク本体との接続をコネクタ５１Ａ及び５１Ｂで行うことにより、本実施形態のイヤホンマイクを音楽再生プレーヤとして単体で使用することが可能となる。
【００４９】
このように、第４実施形態のイヤホンマイクは、携帯電話機７０と接続する携帯電話接続用ケーブル５０をイヤホンマイク本体に対して取り外しできるようにした構成を採ったので、通話時以外やイヤホンマイク単体時において音楽再生プレーヤとして有効活用が可能となる。
【００５０】
【発明の効果】
以上説明したように本発明によれば、携帯電話機に接続して用いられるイヤホンマイクにおいて、通話以外の用途で使用可能とし、機能向上とユーザ利便性の向上を図ることを可能にすることができる。
【図面の簡単な説明】
【図１】本発明の第１実施形態に係るイヤホンマイクの構成を示すブロック図
【図２】本発明の第１実施形態に係るイヤホンマイクの使用状態を示す説明図
【図３】本発明の第２実施形態に係るイヤホンマイクの構成を示すブロック図
【図４】本発明の第３実施形態に係るイヤホンマイクの構成を示すブロック図
【図５】本発明の第４実施形態に係るイヤホンマイクの使用状態を示す説明図
【図６】従来のイヤホンマイクの構成例を示すブロック図
【図７】従来例のイヤホンマイクの使用状態を示す説明図
【図８】従来のシリアル通信ポートを備えたイヤホンマイクの構成例を示すブロック図
【符号の説明】
１、３０、４０　イヤホンマイク本体
３、３１、５０　携帯電話接続用ケーブル
３Ａ、３１Ａ　携帯電話接続用プラグ
４、３２、４１　プレーヤ部
５　制御ボタン
６　制御回路
７　電源オン／オフスイッチ
８　バッテリ
９　メモリカード
１０　音楽再生回路
１１　液晶駆動回路
１２　液晶パネル
１３　イヤホンアンプ
１４、３４、４２　短絡スイッチ
１５　バッファアンプ
１６　マイク
１７　フックボタン
１８　イヤホン接続用ジャック
１９　イヤホン
３３　イヤホン出力切り替え回路
５１Ａ、５１Ｂ　コネクタ
【図１】
2004072498.tif 000003
【図２】
2004072498.tif 000004
【図３】
2004072498.tif 000005
【図４】
2004072498.tif 000006
【図５】
2004072498.tif 000007
【図６】
2004072498.tif 000008
【図７】
2004072498.tif 000009
【図８】
2004072498.tif 000010